(57)【特許請求の範囲】
【請求項１】
シース管の中に発熱体と絶縁体を挿入したシースヒータであって、
前記シース管は外周の一部に、前記シースヒータの長軸方向に対して平行に設けられた温度センサ挿入用の溝の１又は２以上を有し、
前記温度センサ挿入用の溝が、前記シースヒータの長軸方向に対して垂直の断面形状として、前記シースヒータの断面中心から外周接線に到る径方向に対して中心線が径方向の軸から５〜４５度の角度になるように斜めに位置する蟻形状で形成されていることを特徴とするシースヒータ。
【請求項２】
前記シース管は前記温度センサ挿入用の溝を設ける部分に肉盛り部分を有し、前記温度センサ挿入用の溝が前記肉盛り部分を介して前記シース管の外周の一部に形成されていることを特徴とする請求項１に記載のシースヒータ。
【請求項３】
シース管の中に発熱体と絶縁体を挿入したシースヒータへの温度センサの取付方法であって、
前記シース管の外周の一部に、前記シースヒータの長軸方向に対して平行に温度センサ挿入用の溝の１又は２以上が設けられ、前記温度センサ挿入用の溝が、前記シースヒータの長軸方向に対して垂直の断面形状として、前記シースヒータの断面中心から外周接線に到る径方向に対して中心線が径方向の軸から５〜４５度の角度になるように斜めに位置する蟻形状、又はＬ字形状若しくは逆Ｔ字形状で形成されているシースヒータを用いて、
前記シースヒータのシース管に設けた温度センサ挿入用の溝の断面開口部入口を、前記温度センサが挿入できるように前記溝の断面開口部入口の幅よりも広く開口する工程と、
前記溝の断面開口部入口から前記温度センサを挿入する工程と、
前記温度センサを挿入した溝において前記温度センサを前記溝の深部の方向に押し込む工程と、
少なくとも前記温度センサに覆いかぶさる側に位置するシース管材を、折り曲げ、押込み及び押圧のいずれかの後加工によって前記溝の内部に前記温度センサを固定する工程と、を含むシースヒータへの温度センサの取付方法。
【請求項４】
前記シースヒータは、前記シース管が前記温度センサ挿入用の溝を設ける部分に肉盛り部分を有し、且つ、前記温度センサ挿入用の溝が前記肉盛り部分を介して前記シース管の外周の一部に形成されていることを特徴とする請求項３に記載のシースヒータへの温度センサの取付方法。
【発明の詳細な説明】
【技術分野】
【０００１】
本発明は、発熱体と絶縁体を挿入するシース管の外周の一部に、熱電対等の温度センサを埋設し、保持及び固定を行うための溝を設けたシースヒータ、及び該シースヒータへの温度センサの取付方法に関する。
【背景技術】
【０００２】
ヒータ表面の温度を感度よく、迅速かつ正確に測定するために、ヒータ表面側に熱電対等の温度センサを取付けた各種のヒータ（発熱体）が知られている。例えば、セラミックヒータの場合は、ヒータ表面側に温度センサ取付用の開口部材を取付ける構造が特許文献１に開示されている。また、特許文献２には、熱電対及びサーミスタを収納するため、径内方向に溝状に凹設されたセンサ収納部を有するパーマネント用加熱ロッドが開示されている。
【０００３】
また、シースヒータにおいては、シース外側に設けた溝に熱電対等の温度センサを埋設してヒータの発熱温度を測定することが行われている。シースが金属材料の場合は、外側に設けた溝に温度センサを埋設した後、溶接又は塑性加工等により温度センサを固定する方法が従来から行われている。
【０００４】
一方、シースが黒鉛又はそれに類似した材料の場合は、温度センサの外径より大きな溝入口幅で穿設された、断面円形又は断面蟻形の溝を有するシースヒータが特許文献３において開示されている。前記特許文献３に開示のシースヒータは、温度センサが溝に装入された後、接着剤を充填して固定される。また、特許文献４には、黒鉛製のシースの外側に設けた溝及び該溝の先端の近くに、ねじ孔を設ける高温用シースヒータが開示されている。前記特許文献４に開示のシースヒータは、温度センサが溝に装入された後、ねじを螺入することによって固定される。
【先行技術文献】
【特許文献】
【０００５】
【特許文献１】実開平６−６９７７１号公報
【特許文献２】特開２００９−９５４４１号公報
【特許文献３】実公昭６３−３６６３１号公報
【特許文献４】実公昭６３−２４６３０号公報
【発明の概要】
【発明が解決しようとする課題】
【０００６】
シースヒータに温度センサを取付ける場合は、温度センサの取付が容易にできるだけでなく、使用中に取付後の温度センサが簡単に脱落しないように確実な固定を行う必要がある。さらに、取付及び固定作業の簡便化及び低コスト化を図るため、特殊な取付治具や接着剤等の使用又は溶接や塑性加工等の後加工による煩雑な作業を伴うことなく、温度センサの固定を行うことが強く望まれている。
【０００７】
しかしながら、前記特許文献１に記載の方法をシースヒータに適用する場合、特殊な構造を有する開口部材の取付作業が必要となり、温度センサの取付及び固定に要する作業の簡便化及び効率化を図ることが困難である。
【０００８】
また、前記特許文献２には溝状のセンサ収納部を有する加熱部材が開示されているが、前記センサ収納部に取付けられるセンサ部分は、加熱部材の外周面と整合する内周面を有するパーマネントロッド部材で固定される構造となっている。このように、温度センサの脱落を防止する方法として、加熱部材の外側に配置するロッド部材と組合わせて使用する必要があり、温度センサの取付及び固定における作業性の簡便化及び効率化という目的には適さない。
【０００９】
シースヒータにおいても、シース外側に熱電対の収納部に相当する溝を設けた構造が前記特許文献３及び４に開示されているが、使用中に熱電対の脱落を防止するため、熱電対の取付後に接着剤の充填やねじの螺入を行っている。この方法では、温度センサをシースヒータに強固に固定する際に煩雑な作業が必要となるだけでなく、狭所又は高所等を含め、温度センサの取付作業が困難な場所への適用が制限される。
【００１０】
本発明は上記事情を鑑みてなされたものであり、熱電対等の温度センサの取付が容易で、かつ、温度センサを取付け埋設するだけで、特殊な取付治具や接着剤等の使用又は溶接や塑性加工等の後加工を伴わなくても確実な保持及び固定を行うことができるだけでなく、狭所及び高所を含めて、温度センサの簡単な取付けが求められる様々な場所への適用が可能なシースヒータ及び該シースヒータへの温度センサの取付方法を提供することを目的とする。 
【課題を解決するための手段】
【００１１】
本発明者等は上記の課題を解決するために鋭意研究した結果、熱電対等の温度センサを埋設し、保持及び固定を行うため、シースヒータに備わるシース管の外周の一部に設ける溝を特殊な構造及び形状とすることにより上記課題が解決し得ることを見出した。 
【００１２】
すなわち、本発明は、シース管の中に発熱体と絶縁体を挿入したシースヒータであって、前記シース管は外周の一部に、前記シースヒータの長軸方向に対して平行に設けられた温度センサ挿入用の溝の１又は２以上を有し、前記温度センサ挿入用の溝が、前記シースヒータの長軸方向に対して垂直の断面形状として、前記シースヒータの断面中心から外周接線に到る径方向に対して中心線が径方向の軸から５〜４５度の角度になるように斜めに位置する蟻形状で形成されていることを特徴とするシースヒータである。
【００１３】
本発明のシースヒータは、シース管の一部に設けられている蟻形状の斜め溝により、取付治具の使用又は煩雑な作業を伴うことなく、温度センサを前記溝へ埋設するだけで、温度センサの確実な保持及び固定が可能になる。すなわち、温度センサを前記溝の深部の方向へ挿入させることにより、前記溝の開口部入口部分が温度センサの一部又は全部に覆いかぶさるような形態をとるため、温度センサの脱落を抑制する機能を有する。また、前記蟻形状の斜め溝は、前記温度センサ挿入用の溝を容易に加工できる切削又は穿設の方法を用いることができるため、溝形成によるシースヒータの製造コストの上昇が抑えられる。同時に、より簡便で効率的な温度センサの取付並びに保持及び固定を行うことができる。
【００１４】
また、本発明のシースヒータは、前記シース管が前記温度センサ挿入用の溝を設ける部分に肉盛り部分を有し、前記温度センサ挿入用の溝が前記肉盛り部分を介して前記シース管の外周の一部に形成されていてもよい。前記温度センサ挿入用の溝を設ける部分に肉盛り部分を設けることにより、前記温度センサ挿入用の溝を深く形成できるため、前記温度センサの保持及び固定を、より確実に、かつ強固に行うことができる。
【００１６】
また、本発明は、シース管の中に発熱体と絶縁体を挿入したシースヒータへの温度センサの取付方法であって、前記シース管の外周の一部に、前記シースヒータの長軸方向に対して平行に温度センサ挿入用の溝の１又は２以上が設けられ、前記温度センサ挿入用の溝が、前記シースヒータの長軸方向に対して垂直の断面形状として、前記シースヒータの断面中心から外周接線に到る径方向に対して中心線が径方向の軸から５〜４５度の角度になるように斜めに位置する蟻形状、又はＬ字形状若しくは逆Ｔ字形状で形成されているシースヒータを用いて、前記シースヒータのシース管に設けた温度センサ挿入用の溝の断面開口部入口を、前記温度センサが挿入できるように前記溝の断面開口部入口の幅よりも広く開口する工程と、前記溝の断面開口部入口から前記温度センサを挿入する工程と、前記温度センサを挿入した溝において前記温度センサを前記溝の深部の方向に押し込む工程と、少なくとも前記温度センサに覆いかぶさる側に位置するシース管材を、折り曲げ、押込み及び押圧のいずれかの後加工によって前記溝の内部に前記温度センサを固定する工程と、を含むシースヒータへの温度センサの取付方法である。この方法により、シースヒータへの温度センサの固定をより確実に、かつ強固に行うことができる。
［発明の効果］
【発明の効果】
【００１７】
本発明のシースヒータを使用することにより、熱電対等の温度センサの取付が容易になるだけでなく、温度センサをシースヒータに取付け埋設するだけで、特殊な取付治具や接着剤等の使用又は溶接や塑性加工等の後加工による煩雑な作業を伴うことなく、確実な保持及び固定を行うことができる。また、シースヒータの取付と同時に温度センサの取付けが求められる様々な場所において、温度センサの取付作業が困難な狭所及び高所等への適用が可能となる。
【００１８】
また、本発明によるシースヒータへの温度センサの取付方法により、温度センサをより強固で確実に保持及び固定ができるため、温度センサの取付固定が長期間の使用にも十分に耐え得るような高信頼性のものとすることができる。
【図面の簡単な説明】
【００１９】
【図１】断面が矩形状の斜め溝を有する本発明のシースヒータに温度センサを埋設した例を示す図である。
【図２】図１に示す溝の断面形状の変形例を示す図である。
【図３】本発明のシースヒータを構成するシース管に形成される溝の断面形状の変形例を示す図である。
【図４】シース管に設けた肉盛り部分を介して矩形状の斜め溝を形成した本発明のシースヒータの製造工程の概略を示す図である。
【図５】本発明のシースヒータを構成するシース管の肉盛り部分に形成される溝の断面形状の変形例を示す図である。
【図６】本発明のシースヒータの別の例を示す図である。
【図７】本発明によるシースヒータへの温度センサの取付方法の例を示す図である。
【発明を実施するための形態】
【００２０】
以下、本発明の好適な実施形態について詳細に説明する。ただし、本発明は以下の実施形態に限定されるものではない。 
【００２１】
＜実施の形態１＞
図１は、断面が矩形状の斜め溝を有する本発明のシースヒータに温度センサを埋設した例を示す図である。図１には本実施形態のシースヒータ１の斜視図とともに、温度センサを埋設したシースヒータ１のＡ−Ａ位置の断面図を合わせて示している。
【００２２】
図１に示すように、本実施形態のシースヒータ１は、シース管２の中に発熱体３と絶縁体４を挿入したものである。絶縁体としては、例えば、熱伝導性に優れる酸化マグネシウム（ＭｇＯ）の絶縁紛体等を使用することができるが、本実施形態はこの材料に限定されない。発熱体３は２本のリード線５を介して不図示の温度制御装置と電気的に接続され、熱電対等の温度センサ６によって計測される温度に基づいて、所望の温度になるように加熱される。シース管２は外周の一部に、シースヒータ１の長軸方向に対して平行に設けられた温度センサ６の挿入用の溝７の１箇所を有する。
【００２３】
図１のＡ−Ａ断面図に示すように、温度センサ６の挿入用の溝７は、シースヒータ１の長軸方向に対してＡ−Ａ位置の垂直断面形状として、シースヒータ１の断面中心から外周接線に到る径方向に対して中心線が角度θ１で斜めに位置する矩形状で形成されている。ここで、本実施形態における矩形状の溝７としては、図１のＡ−Ａ断面図に示すように、溝の中心軸が南西から北東の方向に向いたものだけではなく、シースヒータの径方向に対してそれとは線対称に位置する方向、すなわち南東から北西の方向に角度θ１で斜めに向いた中心軸を有する溝も含まれる。温度センサ６は、先端部又は該先端部を含む温度計測部分を溝７に挿入し、さらに、溝６の深部の方向に押し込みながら埋設することによってシースヒータ１への保持及び固定を確実に行うことができる。
【００２４】
図１には、温度センサ６の挿入用の溝７を、シース管２の外周の１箇所に形成する例を示しているが、本実施形態においては、必要に応じて、溝７をシース管２の外周の２箇所以上に形成してもよい。例えば、シースヒータ１が長い場合には、長手方向の各個所の温度をそれぞれ分離して計測する目的で、長さを短くした溝７をシース管２の長手方向に複数個設けたシースヒータの構造とする。この場合、複数の溝７は、シースヒータ１の長手方向一直線上の位置に設けるだけでなく、シース管２の外周の異なる位置で引いた長手方向線上の何れかの箇所に交互に設けてもよい。複数の溝７を設ける位置は、温度センサ６を設置できる場所に応じて任意に選ぶことができる。以上のように、溝７の長さ及びシース管２の外周に設ける溝の個数と位置は、シースヒータ１の取付を行うときの被取付部材の形状、及びシースヒータ１の取付場所と位置等に応じて、自由に選ぶことができる。
【００２５】
図１に示す斜め溝７の断面は、溝の中心線がシースヒータ１の断面中心から外周接線に到る径方向に対して斜めに位置していれば、両側壁及び底部壁のそれぞれの直線が互いに直角に交わる長方形には限定されない。例えば、図２に示す断面形状を有する形状を有する斜め溝であってもよい。図２の（ａ）〜（ｃ）は、図１に示す溝の断面形状の変形例をそれぞれ示す図であり、各変形例で示す溝７の断面形状部分を抽出して拡大した図が円の点線枠内に示されている。図２において、（ａ）は溝７の断面底部壁がシースヒータ１の外周接線に略平行に形成される断面形状、（ｂ）は溝７の断面底部壁の両角端が斜めにわずかながらカットされた形状、及び（ｃ）は溝７の開口部入口部分の両角端が斜めにわずかながらカットされた形状の例である。
【００２６】
図２に示す斜め溝の変形例は、溝の基本的な断面形状が長方形の矩形状であるため、斜めの位置に設けることにより、温度センサ６をシースヒータ１に埋設するだけで、温度センサ６の保持及び固定を確実に行うことができる。溝７を実際に加工又は成形によって形成するときは、図１に示す断面形状だけでなく、図２に示すような変形例（ａ）〜（ｃ）の少なくともいずれかの断面形状、又は（ａ）〜（ｃ）の２以上の例が組み合わさった形状で溝７が形成される場合がある。したがって、本実施形態においては図２に示す変形例の少なくともいずれかの場合も、本発明で規定する「矩形状」で形成される溝７として扱う。
【００２７】
図１及び図２に示す断面が矩形状の溝７は、シースヒータ１の断面中心から外周接線に到る径方向に対して中心線が角度θ１で斜めに位置するように形成する。ここで、角度θ１としては、０度を超え、９０度未満の斜め方向であれば、本発明の目的を達成することができるが、温度センサ６の挿入のし易さとシース管２への確実な固定との両立、及び溝７を設けるときの加工性やシースヒータ１の製造のし易さ等を考慮すると５〜８５度が実用的であり、好ましくは３０〜６０度である。角度θ１が５度未満であると、取付けした後の温度センサ６が容易に脱落し、また、８５度を超えると、温度センサ６がシースヒータ１の真横から抜け出るようになるため、温度センサ６の確実な保持及び固定ができない。さらに、角度θ１が３０〜６０度の範囲のときに、温度センサ６の取付後だけでなく、実際にヒータ加熱を行う使用中でも温度センサ６の脱落がほとんどみられず長期間の使用に耐え得るような高信頼性で、かつ、使い勝手に優れるシースヒータを得ることができる。
【００２８】
本実施形態において、温度センサ６の挿入用の溝７は、例えば、切削治具による切削加工、プレスによる押圧、及び押出しの少なくとも何れかの加工方法によってシース管の外周の一部に形成することができる。
【００２９】
溝７の形成を切削加工で行う場合は、断面が矩形状の切削バイトを用いて、あらかじめ外周の切削加工によって溝７を形成したシース管２を使用してシースヒータ１を作製する。また、シースヒータ１の作製後にシース管２の外周に後加工として切削加工を行い、溝７を形成してもよい。
【００３０】
プレスによる押圧方法は、シース管２の内部及び外部の形状を維持するための金型をシース管２にセッティングした後、溝７の断面形状と同じか、又はそれに近い断面形状を有するプレスによって押圧し、塑性変形を利用して溝７をシース管１の外周に形成する。プレス成形では、溝７の形成時だけでなく、シース管の作製と同時に溝７の形成を行ってもよい。
【００３１】
また、押出しによる方法は、溝７の断面形状と同じか、又はそれに近い断面形状を有する耐圧性の型枠にシース管として使用する素材を入れ、その素材に高い圧力を加え、前記型枠の一定断面形状の隙間から押出すことで求められる溝形状に加工する。押出し成形によって形成した溝７において、所望の長さや位置に存在する溝の部分だけに温度センサ６を埋設したい場合は、不要な部分に形成された溝の開口部を溶接や溶射又はプレス成形等の後加工によって封じてもよい。一方で、本実施形態のシースヒータ１は、そのような後加工によって溝７の開口部を閉じなくても、温度センサ６を所望の長さ又は位置で埋設するだけで温度センサの保持及び固定を行うことができるという利点を有する。
【００３２】
本実施形態は、溝７の断面形状として、図１及び図２に示す矩形状には限定されず、例えば、図３に示す断面形状を有するものであってもよい。図３に、本発明のシースヒータのシース管に形成される溝の断面形状の変形例（ａ）〜（ｅ）を示す。
【００３３】
図３の（ａ）は、シースヒータ１の断面中心から外周接線に到る径方向に対して中心線が角度θ２で斜めに位置する蟻形状を有する溝７を示す図である。ここで、角度θ２としては、０度を超え、９０度未満の斜め方向であれば、本発明の目的を達成することができるが、温度センサ６の挿入のし易さとシース管２への確実な固定との両立、及び溝７を設けるときの加工性やシースヒータ１の製造のし易さ等を考慮すると０度を超え、６０度以下が実用的であり、好ましくは５〜４５度である。角度θ２が０度であると、取付けした後の温度センサ７が容易に脱落し、また、６０度を超えると、温度センサ６がシースヒータ１の真横から抜け出るようになるため、温度センサ７の確実な保持及び固定ができない。さらに、角度θ１が５〜４５度の範囲のときに、温度センサ７の取付後だけでなく、実際にヒータ加熱を行う使用中でも温度センサ７の脱落がほとんどみられず長期間の使用に耐え得る高信頼性で、かつ、使い勝手に優れるシースヒータを得ることができる。
【００３４】
以上のように、溝７の断面が蟻形状の場合は、矩形状の場合に比べて、シースヒータ１の断面中心から外周接線に到る径方向に対する中心線の角度をやや小さくしても、温度センサ７の確実な保持及び固定を行うことができる。そのため、断面が蟻形状の溝を形成するときは、溝形成のし易さを優先して、角度θ２の範囲を規定する。
【００３５】
図３において（ｂ）及び（ｃ）は、断面形状としてＬ字形状を有する溝７を示す図であり、（ｂ）と（ｃ）とはそれぞれ線対称の位置で溝７が形成される。溝７に挿入された温度センサ６は、断面Ｌ字状の先端水平部に押し込んで保持及び固定することができる。また、図３の（ｄ）及び（ｅ）は、シースヒータ１の上部方向に対して逆Ｔ字形状の断面を有する溝７を示す図であり、温度センサ６を溝７に挿入し、さらに（ｄ）及び（ｅ）に示すようにそれぞれ反対方向に押し込むことにより、温度センサ６の保持及び固定を行うことができる。
【００３６】
図３の（ａ）に示す断面蟻形状を有する溝７は、図１及び図２に示す断面矩形状の場合と同じように、切削治具による切削加工、プレスによる押圧、及び押出しの少なくとも何れかの加工方法によってシース管の外周に形成することができる。他方、図３の（ｂ）〜（ｅ）は、切削加工又はプレスによる押圧加工が困難であるため、断面がＬ字形状又は逆Ｔ字形状を有する金型を用いて押出し加工を行うのが実用的である。押出し加工を行う場合は、溝７をシース管の一部に孤立させて形成することが難しく、一般に、シース管の先端部から反対方向に連続的に形成する方法が採用される。その場合、シース管の末端部から反対方向に形成した溝７において、温度センサ６を埋設したい場所や位置を除く部分に形成された溝の開口部は、溶接や溶射又はプレス成形等の後加工によって封じてもよい。一方で、図３の（ｂ）〜（ｅ）に示す断面形状を有する溝７をシース管の外周に設けるシースヒータ１は、そのような後加工による溝７の開口部を封じる方法を採用しなくても、温度センサ６を所望の長さ又は位置で埋設するだけで温度センサの保持及び固定を行うことができるため、製造の簡略化を図ることが可能である。
【００３７】
図１に示すシースヒータにおいて、本発明者等は、温度センサの取付及び埋設を行い、温度センサ６の保持及び支持の程度を検証した。本実施形態のシースヒータ１としては、図１に示す角度θ１が４０度で、幅０．４ｍｍ及び深さ０．８ｍｍを有する断面矩形状の溝をシース管２の外周に長さ７０ｍｍで設けたものを使用した。温度センサ６の保持及び支持の検証は、比較例として、矩形状の溝７がシースヒータ１の断面中心から外周接線に到る径方向に対して平行（角度θ１＝０度）で、幅、深さ及び長さが同じである断面矩形状の溝をシース管の外周に設けたシースヒータを使用し、この比較例との対比によって行った。温度センサ６としては、外径が０．４ｍｍである熱電対を使用した。
【００３８】
本実施形態のシースヒータ１及び比較例のシースヒータを、被取付部材である同じ金属管の外側にそれぞれ線対称で向かい合った位置に取付を行った後、それぞれのシースヒータの溝に熱電対を挿入し、熱電対を溝の深部の方向に押し込んだ。このとき、両者のシースヒータにおいて、シースヒータの設置方法、シースヒータに接続するリード線の長さ及び熱電対の形状と設置位置はできるだけ同じ条件になるように設定した。次いで、シースヒータ及び熱電対の取付を行った金属管（被取付部材に相当するもの）を垂直に立て、２つのシースヒータの取付位置の方向に平行及び垂直に同じ条件で振動させた（試験Ａ）。また、両者のシースヒータの取付位置に対する振動方向の違いによる影響を除くため、試験Ａで実施した振動方向とは反対方向からの振動試験も合わせて行った（試験Ｂ）。これら振動方向の違いによる２つの試験において、シースヒータへの温度センサの取付作業、及びシースヒータから熱電対が脱落に到る振動回数を調べた。
【００３９】
その結果、本実施形態のシースヒータ１は、比較例のシースヒータの場合と比べて、熱電対の挿入時に注意を有するため作業時間がやや長くなるものの、挿入を完了した後の熱電対の溝深部への押し込み作業性はほとんど差異はなく、順調に熱電対の埋設作業を完了することができた。
【００４０】
また、シースヒータからの熱電対の脱落結果については、比較例のシースヒータでは、振動試験Ａ及びＢにおいて平行及び垂直となる方向に１回振動させただけで熱電対がシースヒータから脱落した。それに対し、本実施形態のシースヒータ１は１００回の振動においても熱電対の脱落を観測されなかった。このように、本実施形態のシースヒータ１は、温度センサをシースヒータに取付けるだけで、特殊な取付治具や接着剤等を使用しなくても、又は溶接や塑性加工等の後加工を行わなくても、温度センサの保持及び固定の性能に優れることが確認された。
【００４１】
＜実施の形態２＞
図４は、シース管に設けた肉盛り部を介して矩形状の斜め溝を形成したシースヒータの製造工程の概略を示す図である。図４の（ａ）〜（ｃ）に示す製造工程において、（ｃ）には温度センサ１２を埋設した後のシースヒータ８において、長軸方向のＢ−Ｂ位置の垂直断面図を合わせて示している。
【００４２】
図４の（ａ）に示すように、本実施形態のシースヒータ８は、シース管９の温度センサの埋設箇所及びその近くに肉盛り部分１０を形成する。肉盛り部分は、溶接や溶射による硬化肉盛り、接着剤や接合剤による肉盛り部分の接着又は接合、プレスによる押圧、及び押出し成形等のいずれかの方法でシース管に設けることができる。
【００４３】
次いで、温度センサの埋設箇所に相当する部分に、断面が矩形状の溝１１を、例えば、切削治具により切削加工を行い、所望の幅、深さ及び長さで形成する（図４の（ｂ））。本実施形態においては、切削加工の他にも、シース管９のプレスによる押圧方法又は押出しによる方法によって、肉盛り部分１０とともに、肉盛り部分１０の外周に矩形状の断面を有する溝１１を同時に形成してもよい。
【００４４】
このようにして得られたシースヒータ８を不図示の被取付部材に取付けを行った後、熱電対等の温度センサ１２の埋設を行う（図４の（ｃ））。図４のＢ−Ｂ断面図に示すように、本実施形態のシースヒータ８は、シース管９の中に発熱体１３と絶縁体１４を挿入したものであり、前記実施の形態１と同じ構成を有する。そして、シースヒータ８に形成した温度センサ１２を挿入するための溝１１は、シースヒータ８の断面中心から外周接線に到る径方向に対して中心線が角度θ３で斜めに位置する矩形状の断面形状を有する。ここで、角度θ３としては、前記実施の形態１と同様に、０度を超え、９０度未満の斜め方向であれば、本発明の目的を達成することができる。さらに、温度センサ１２の挿入のし易さとシース管９への確実な固定との両立、及び溝１１を設けるときの加工性やシースヒータ８の製造のし易さ等の点から、５〜８５度が実用的であり、好ましくは３０〜６０度である。
【００４５】
図４の（ｃ）の工程において、温度センサ１２は先端部又は該先端部を含む温度計測部分が溝１１に挿入され、さらに、溝１１の深部の方向に押し込みながら埋設される。本実施形態では、シース管９に形成した肉盛り部分１０を介して、溝１１を図１に示す溝７よりも深く形成することができる。そのため、シースヒータ８への温度センサ１２の保持及び固定を、図１に示すシースヒータ１に比べて、より強固に行うことができる。したがって、大きな温度変化や強い振動が起こるような過酷な環境下でも、温度センサ１２の保持及び固定を長期間に亘って維持できるようになる。
【００４６】
本実施形態は、溝１１の断面形状として、図４に示す矩形状には限定されず、例えば、図５に示す断面形状を有するものであってもよい。図５に、本実施形態のシースヒータを構成するシース管に形成される溝の断面形状の変形例（ａ）〜（ｄ）を示す。
【００４７】
図５の（ａ）に示す溝１１は、図４に示す溝と同じように角度θ１で傾いた斜めの矩形状を有するものの、溝の中心軸がシースヒータの径方向に対して線対称に位置するように形成される。この矩形状の溝１１は、温度センサ１２の挿入方向が異なるだけで、埋設後の温度センサ１２の保持及び固定に関して図４に示すシースヒータ８と同じ効果が得られる。
【００４８】
図５の（ｂ）は、シースヒータ８の断面中心から外周接線に到る径方向に対して中心線が角度θ４で斜めに位置する蟻形状を有する溝１１を示す図である。ここで、角度θ４としては、図３の（ａ）に示す溝７と同じように、０度を超え、９０度未満の斜め方向であれば、本発明の目的を達成することができる。さらに、温度センサ１２の挿入のし易さとシース管９への確実な固定との両立、及び溝１１を設けるときの加工性やシースヒータ８の製造のし易さ等を考慮すると０度を超え、６０度以下が実用的であり、好ましくは５〜４５度である。図５の（ｂ）のように、断面が蟻形状の溝は、図４に示す矩形状の溝に比べて、シースヒータ１の断面中心から外周接線に到る径方向に対する中心線の角度をやや小さくしても、温度センサ１２の確実な保持及び固定を行うことができる。そのため、断面が蟻形状の溝を形成するときは、溝形成のし易さを優先して、角度θ４の範囲を角度θ３よりも小さく規定する。
【００４９】
本実施の形態によるシースヒータ８は、図５の（ｂ）〜（ｄ）に示すように、溝１１の断面が蟻形状、Ｌ字形状及び逆Ｔ字形状のいずれであっても、図４に示す矩形状と同じように、シース管９に形成した肉盛り部分１０を介して、深い溝１１を形成することができる。そのため、図５に示す断面形状を有する溝の場合も、図４に示す矩形状の溝と同様に、シースヒータ８へ埋設した後の温度センサ１２の保持及び固定を、より強固に行うことができるという利点を有する。
【００５０】
図５の（ａ）〜（ｄ）に示す各断面形状を有する溝７は、前記実施の形態１と同様に、切削治具による切削加工、プレスによる押圧、及び押出しの少なくとも何れかの加工方法によってシース管の外周に形成することができる。それらの中で、図５の（ｃ）及び（ｄ）に示す溝の形成は、切削又はプレス押圧による加工が困難であるため、断面がＬ字形状又は逆Ｔ字形状を有する金型を用いて押出し加工を行うのが実用的である。
【００５１】
＜実施の形態３＞
本発明のシースヒータは、シースヒータの断面中心から外周接線に到る径方向に対して中心線が斜めに位置する矩形状若しくは蟻形状、又はＬ字形状若しくは逆Ｔ字形状で形成されている断面を有する溝とともに、シースヒータの断面中心から外周接線に到る径方向に対して平行（径方向と溝の中心軸との角度が０度）に形成した溝を有するものであってもよい。図６に、それらの構成と構造を有するシースヒータの例を示す。図６には、本実施の形態によるシースヒータ１５の斜視図とともに、温度センサ１６を埋設したシースヒータ１５のＣ−Ｃ、Ｄ−Ｄ及びＥ−Ｅの各部分の断面図を示している。Ｅ−Ｅ断面図は、シースヒータ１５に備わるシース管１７の外周の一部に形成された溝１７及び１８の部分並びにその両端近傍を、シースヒータの長軸方向と平行な断面で表したときの図である。
【００５２】
図６に示すシースヒータ１５は、外周接線に到る径方向に対して中心線が斜めの位置で形成された断面が矩形形状の溝１８（Ｃ−Ｃ断面図を参照）、及び溝１８の先端部に外周接線に到る径方向に角度が０度で平行に形成され、開口部入口の形状が円形で、底部の断面形状が半円であり、且つ、溝の深さが溝１８よりもやや深い円筒形状の溝１９（Ｄ−Ｄ断念図を参照）を有する。前記実施の形態１で説明したように、シースヒータ１５の断面において斜め方向に形成された溝１８は、温度センサ１６を挿入し、さらに深部方向に押し込んで埋設することにより、温度センサ１６の保持及び固定を確実に行うことができるという機能を有する。他方、円筒形状の溝１９は、溝１８の先端部に形成され、温度センサ１６の先端部１６ａを挿し込むことができるような形状で形成されている（Ｅ−Ｅ断面図を参照）。それにより、温度センサ１６の先端部を溝１９に押し込んで温度センサ１６の位置決めを容易に行うことができる。また、溝１９は溝１８よりもやや深く形成されており、温度センサ１６の先端部が絶縁体２１を介して発熱体２０に、より近接して配置できるようになるため、発熱体の温度をより高精度で計測できるという効果が得られる。
【００５３】
本実施形態のシースヒータ１５において、溝１９は次のようにして設けることができる。例えば、図１に示すシースヒータ１を使用し、シースヒータ１に設けた溝７に相当する溝１８の先端部にドリル等で所望の深さで円筒形状で穿孔することにより、シースヒータの断面中心から外周接線に到る径方向に対して平行（径方向と溝の中心軸との角度が０度）に形成する。ここで、溝１９の底部の断面形状は半円に限定されず、直線状であってもよい。また、溝１９の断面は同じ幅を有する平行な溝形状には限定されず、開口部から底部に向けて広がる蟻形状であってもよい。また、溝１９の開口部入口の形状は円形だけでなく、矩形状で形成することもできる。これらの溝１９は、切削加工によって形成するのが実用的である。
【００５４】
図６には溝１９が溝１８の先端部に形成される例を示しているが、本実施形態は溝１８の途中に溝１９を穿孔又は切削による加工で形成してもよい。仮に、作業現場において温度センサの取付場所を急に変更する事態が生じても、溝１８をあらかじめ設けたシースヒータ１５を使用し、溝１８を設けた箇所の途中に溝１９を新たに形成することにより、温度センサ１６の先端部１６ａを溝１９の内部に押し込む形で温度センサ１９の位置決めを行うことができる。このとき、温度センサ１６は先端部１６ａを溝１９に挿入することによって所望の位置で固定できるようになるため、シースヒータ１５の長軸方向における温度センサ１６の位置変動を抑えることができる。
【００５５】
また、溝１９を溝１８の先端部又は途中に設けるときの角度は、シースヒータ１５の長手方向に対して図６のＥ−Ｅ断面図に示す直角に限定されるものではない。溝１９を、温度センサ１５の先端部方向に向け、９０度を超え１８０度未満の鈍角で斜めに形成してもよい。溝１９がシースヒータ１５の長手方向において斜めに形成されることにより、温度センサ１６を溝１９に挿入するとき、先端部を無理に折り曲げる必要がなくなるため、温度センサ１６の挿入作業性の向上を図ることができる。
【００５６】
以上のように、本実施形態のシースヒータ１５は、溝１８及び溝１９を有するため、温度センサ１６の取付を行うときの位置決めが容易で、かつ、温度センサ１６の保持及び固定を確実に行うことができる。
【００５７】
＜実施の形態４＞
前記実施の形態１〜３のシースヒータを用いて、温度センサの取付けを行うときは、前記温度センサをシースヒータのシース管の外周の一部に設けられた溝に挿入し、溝の深部方向に押し込んで埋設するだけでも、温度センサの保持及び固定を行うことができる。しかしながら、温度センサのシースヒータへの保持及び固定を、長期間に亘ってより強固に維持したい場合には、図７に示す取付方法を採用することが好ましい。図７には、溝の断面形状として（ａ）矩形状、（ｂ）蟻形状、（ｃ）Ｌ字状、及び（ｄ）逆Ｔ字状に分けて、それぞれの溝の部分を拡大した断面図を示している。図７の（ａ）〜（ｄ）において、シースヒータへの温度センサの取付工程は、左側から右側に向けて示す４つの図に従ってそれぞれ行われる。
【００５８】
図７に示すように、本実施の形態で説明するシースヒータへの温度センサの取付方法は、基本的に、シースヒータのシース管に設けた温度センサ挿入用の溝の断面開口部入口を、外径又は幅がＤである温度センサが挿入できるように（ａ）〜（ｄ）の各断面形状を有する溝の断面開口部入口の幅（Ｗ）よりも広く開口する工程と、前記溝の断面開口部入口から前記温度センサを挿入する工程と、前記温度センサを挿入した溝において前記温度センサを前記溝の深部の方向に押し込む工程と、少なくとも前記温度センサに覆いかぶさる側に位置するシース管材を、折り曲げ、押込み及び押圧のいずれかの後加工によって前記溝の内部に前記温度センサを固定する工程と、を含む。
【００５９】
まず、図７の（ａ）に示す取付方法について説明する。断面が矩形状の溝２２に、円形の断面を有し、外径がＤである温度センサ２３を挿入するとき、温度センサ２３が溝２２に挿入しやすいように、溝２２の開口部入口部分を形造るシース管２４の一端２４ａを広げ、断面開口部入口の幅（Ｗ）を温度センサ２３の外径（Ｄ）より大きくする、ここで、シース管材の一端２４ａは、後で曲げ加工を行うときに温度センサ２３に覆いかぶさる側に位置するシース管材の端部に相当する。次いで、温度センサ２３を溝２２に挿入し、溝２２の深部方向へ押し込む。その後、温度センサ２３に覆いかぶさる側に位置するシース管材の一端２４ａを、溝２２の深部の方へ折り曲げ加工を行う。これらの工程を経ることにより、温度センサ２３が溝２２から脱落することを防止でき、溝２２の内部に温度センサ２３の保持及び固定を強固に行うことができる。
【００６０】
図７の（ｂ）に示す工程は、（ａ）の場合と同様に、断面が蟻形状の溝２５の開口部入口部分を形造るシース管材２６の一端部２６ａを広げ、断面開口部入口の幅（Ｗ）を温度センサ２３の外径（Ｄ）より大きくしてから、温度センサ２３の挿入及び埋設を行う。その後、温度センサ２３に覆いかぶさる側に位置するシース管材の一端２６ａに折り曲げ加工を施すことにより、溝２５の内部に温度センサ２３の保持及び固定を行う。
【００６１】
図７の（ｃ）に示す工程は、断面がＬ字形状の溝２７の開口部入口部分を形造るシース管２８の突出部分２８ａを上方に折り曲げることにより、断面開口部入口の幅（Ｗ）を温度センサ２３の外径（Ｄ）より大きくしてから、温度センサ２３の挿入及び埋設を行う。その後、温度センサ２３に覆いかぶさる側に位置するシース管材の突出部分２８ａに押込み又は押圧による加工を施すことにより、溝２７の内部に温度センサ２３の保持及び固定を行う。
【００６２】
また、図７の（ｄ）に示す工程は、断面が逆Ｔ字形状の溝２９を有するシースヒータを用いて行う温度センサの取付方法において、円形の断面を有する温度センサに代え、フラット形状の断面を有する温度センサ３０の取付を行うときの例である。断面が逆Ｔ字形状の溝２９の開口部入口部分を形造るシース管３１の両端部３１ａ及び３１ｂを上方に折り曲げ、断面開口部入口の幅（Ｗ）を温度センサ３０の幅（Ｄ）より大きくしてから、温度センサ３０の挿入及び埋設を行う。その後、温度センサ３０に覆いかぶさるシース管材の両端部３１ａ及び３１ｂに押込み又は押圧による加工を施し、溝２９の内部に温度センサ３０を支持することにより、温度センサの保持及び固定を行う。この取付方法により、断面がフラット形状を有する薄型の温度センサの確実な保持及び固定を行うことができる。
【００６３】
図７の（ａ）〜（ｄ）に示す取付方法において、各溝の断面開口部入口の幅（Ｗ）は、温度センサの外径又は幅（Ｄ）に対して、同じか、又はやや大きい寸法で形成するのが実用的である。前記Ｗが前記Ｄとほとんど同じである場合は、溝内に埋設した温度センサの位置変動（ガタツキ）を抑制し、温度センサの保持及び固定をより確実にすることができる。他方、温度センサの挿入は、温度センサに覆いかぶさる側に位置するシース管材の端部を広げることにより容易になり、前記Ｄと前記Ｗとの差を同じか、又は非常に小さくしたシースヒータの場合においても、温度センサの溝内への挿入作業を楽に行うことができる。それに対して、温度センサが弾性や柔軟性を有する外皮でカバーされるものである場合には、前記Ｗを前記Ｄよりやや小さい寸法で形成してもよい。これは、シースヒータに設けた溝に温度センサを挿入するとき、温度センサの外径をやや圧縮しながら行ってもセンサ感知部分に大きなダメージを与えないと考えられるためである。
【００６４】
本実施形態による温度センサの取付方法は、図４及び５に示すように、シース管に設けた肉盛り部分を介して、断面が斜めの矩形状若しくは蟻形状の溝、又はＬ字形状若しくは逆Ｔ字形状の溝を形成したシースヒータにおいても適用が可能である。
【００６５】
以上のように、本発明のシースヒータを使用することにより、熱電対等の温度センサの取付が容易になるだけでなく、温度センサをシースヒータに取付けるだけで、特殊な取付治具や接着剤等の使用又は溶接や塑性加工等の後加工による煩雑な作業を伴うことなく、確実な保持及び固定を行うことができる。そして、本発明のシースヒータに設ける溝の断面形状を最適化することにより、円形状又は薄いフラット形状の様々な断面形状を有する温度センサの取付に適用することができる。さらに、シースヒータの取付と同時に温度センサの取付けが求められる様々な場所において、温度センサの取付作業が困難な狭所及び高所等への適用が可能となる。また、本発明によるシースヒータへの温度センサの取付方法により、温度センサをより強固で確実に保持及び固定できるため、温度センサの取付固定を長期間の使用にも十分に耐え得るような高信頼性のものにすることができる。このように、本発明のシースヒータ及び該シースヒータへの温度センサの取付方法は適用できる範囲及び場所が広いため、その有用性が極めて高い。
【符号の説明】
【００６６】
１，８，１５・・・シースヒータ
２，９，１７，２４，２６，２８，３１・・・シース管
３，１３，２０・・・発熱体
４，１４，２１・・・絶縁体
５・・・リード線
６，１１・・・溝
７，１２，１６・・・温度センサ
１０・・・肉盛り部分
１８、２２・・・中心線が斜めの位置で形成された断面矩形状の溝
１９・・・溝１８の先端部に形成される円筒形状の溝
２３・・・断面円形状の温度センサ
２５・・・中心線が斜めの位置で形成された断面蟻形状の溝
２７・・・断面Ｌ字形状の溝
２９・・・断面逆Ｔ字形状の溝
３０・・・断面フラット形状の温度センサ
【図１】
0006621634.tif 000002
【図２】
0006621634.tif 000003
【図３】
0006621634.tif 000004
【図４】
0006621634.tif 000005
【図５】
0006621634.tif 000006
【図６】
0006621634.tif 000007
【図７】
0006621634.tif 000008